(57)【要約】
【課題】細菌や病毒の感染で使用者が病気になる可能性を大幅に低減でき、且つ構造を簡単化にすることにより、製造コストを低減できて、組み立ても容易にすること。
【解決手段】前側保護網１２の後側に設置されるろ過素材１５と、ハウジング１の内側にあるエア出口１１との間に形成する収容室１３内に収容される、エア・クリーナーにおける光触媒装置において、前記光触媒装置は、ランプ２と、蜂房式ろ過網３とから構成され、前記ランプ２は前記収容室１３の周囲に設ける凸縁１３１で設置され、且つ前記凸縁１３１と前記収容室１３の周壁との間には、前記ランプ２の電線を収納するための溝１３２が形成してあり、前記溝１３２が一つの離間用枠１４によって密閉され、二酸化チタンが塗布された前記蜂房式ろ過網３は前記収容室１３の凸縁１３１の前側に設置され、前記ランプ２が前記蜂房式ろ過網３を照射すると、光触媒の殺菌効果が起こる。
【選択図】図１
0003101428.tif 000002
【実用新案登録請求の範囲】
【請求項１】
前側保護網の後側に設置されるろ過素材と、ハウジングの内側にあるエア出口との間に形成する収容室内に収容される、エア・クリーナーにおける光触媒装置において、
前記光触媒装置は、ランプと、蜂房式ろ過網とから構成され、
前記ランプは前記収容室の周囲に設ける凸縁で設置し定位され、且つ前記凸縁と前記収容室の周壁との間には、前記ランプの電線を収納するための溝が形成してあり、前記溝が一つの離間用枠によって密閉され、
二酸化チタンが塗布された前記蜂房式ろ過網は前記収容室の凸縁の前側に設置され、
前記ランプが前記蜂房式ろ過網を照射すると、光触媒の殺菌効果が起こることを特徴とする、
エア・クリーナーにおける光触媒装置。
【請求項２】
前記蜂房式ろ過網と前記ランプとを安全な距離に離間するように、前記離間用枠から、複数のストッパーが延出してあることを特徴とする、請求項１に記載のエア・クリーナーにおける光触媒装置。
【考案の詳細な説明】
【技術分野】
【０００１】
この考案はエア・クリーナーにおける光触媒装置に係り、特にエア・クリーナーの内部の前側にある収容室内に収容される光触媒装置を利用すると、空気が綺麗になると共に、細菌及び病毒も徹底に消滅されることにより、エア・クリーナーの使用価値を向上する、エア・クリーナーにおける光触媒装置に関する。
【背景技術】
【０００２】
従来のエア・クリーナーは、密閉した空間中の空気を単純にろ過して室内の空気を綺麗にする機能を持つので、室内の空気を綺麗にするために、各家庭には一台又は複数台のエア・クリーナーが設置される。
【０００３】
しかしながら、非典型肺炎の影響で、人間は病毒の存在に恐怖を持つようになるため、空気を単純に綺麗にする、従来のエア・クリーナーは既に使用者の要求に満足できなくなり、使用者は更に殺菌効果を有するエア・クリーナーを求めている。
【０００４】
最近に開発された光触媒は、殺菌効果が優れるので、室内外で使用されるろ過器、電灯、クーラー及び扇風機などの生活用品への応用は急速に広がっている。上記の生活用品に付けた、光触媒とする二酸化チタンが、紫外線に照射されると、空気との化学接合反応及び分解反応が発生され、空気中に存在する有害な物質を無害な空気に分解する効果があると共に、殺菌と消臭との効果もあるので、病毒の感染で使用者が病気になる可能性が大幅に低減できる。
【考案の開示】
【考案が解決しようとする課題】
【０００５】
この考案の目的は、空気中に存在する有害な物質を無害な空気に分解し、且つ殺菌及び消臭作用を発生することにより、病毒の感染で使用者が病気になる可能性を大幅に低減できる、エア・クリーナーにおける光触媒装置を提供する。
【課題を解決するための手段】
【０００６】
上記目的を達成するためになされた本考案は、前側保護網の後側に設置されるろ過素材と、ハウジングの内側にあるエア出口との間に形成する収容室内に収容される、エア・クリーナーにおける光触媒装置において、前記光触媒装置は、ランプと、蜂房式ろ過網とから構成され、前記ランプは前記収容室の周囲に設ける凸縁で設置し定位され、且つ前記凸縁と前記収容室の周壁との間には、前記ランプの電線を収納するための溝が形成してあり、前記溝が一離間用枠によって密閉され、二酸化チタンが塗布された前記蜂房式ろ過網は前記収容室の凸縁の前側に設置され、前記ランプが前記蜂房式ろ過網を照射すると、光触媒の殺菌効果が起こることを特徴とするエア・クリーナーにおける光触媒装置であることを要旨としている。
【０００７】
本考案では、前記蜂房式ろ過網と前記ランプとを安全な距離に離間するように、前記離間用枠から、複数のストッパーが延出してあることを特徴とする請求項１に記載のエア・クリーナーにおける光触媒装置であることを要旨としている。
【考案の効果】
【０００８】
この考案に係る光触媒装置によれば、空気中に存在する有害な物質が無害な空気に分解され、且つ殺菌及び消臭作用を有するため、細菌や病毒の感染で使用者が病気になる可能性を大幅に低減できる。
【考案を実施するための最良の形態】
【０００９】
以下、添付図面を参照して本考案の好適な実施の形態を詳細に説明する。
まず、図１乃至図５を参照する。この考案に係るエア・クリーナー１は、その内部構造及び使用原理は従来のものと同様なので、ここで説明を省略する。
【００１０】
前側保護網１２の後側に設置されるろ過素材１５と、ハウジング１の内側にあるエア出口１１との間には一つの収容室１３が形成してあり、前記収容室１３の四周には凸縁１３１が設けてあり、前記凸縁１３１と収容室１３の周壁との間には溝１３２が形成してあり、且つ前記凸縁１３１の上下側にはそれぞれ二つの欠け部１３３が開けてあり、前記欠け部１３３にランプ２の両端が別々に装入され、前記ランプ２としては紫外線灯を採用するのがもっともいい選択である。なお、前記凸縁１３１と前記収容室１３の周壁との間には、前記ランプ２の電線を収納するための溝１３２が形成してある。
【００１１】
前記ランプ２及びその電線を前記溝１３２内に組立てた後、一つの離間用枠１４によって前記溝１３２を密閉し、且つ前記離間用枠１４にはストッパー１４１が設けてあり、二酸化チタンを塗布した蜂房式ろ過網３が、収容室１３に収容されエア出口１１を覆い、なお、前記ストッパー１４１は、蜂房式ろ過網３とランプ２とを安全な距離に離間するためのものである。
【００１２】
また、前記ハウジング１の収容室１３内に、二酸化チタンを塗布した蜂房式ろ過網３と、ランプ２とから形成される光触媒装置を取り付けた後、ろ過素材１５を、前記蜂房式ろ過網３の前側に、又は前記ハウジング１の前側にある保護網１２の後側に設置する。前記ろ過素材１５は、エア・クリーナー専用のろ過素材であり、静電ろ過網と活性炭とを結合して構成されるものであってもいい。
【００１３】
そうすると、前側保護網１２と、ハウジング１の前側にあるエア出口１１との間に形成される収容室１３内に、前記ランプ２が凸縁１３１によって固定され、且つ前記ランプ２の電線が溝１３２内に収納され、二酸化チタンを塗布した蜂房式ろ過網３は、離間用枠１４によってランプ２から安全な距離に離間され、また、エア・クリーナー専用のろ過素材１５が前側保護網１２の後側に設置されることにより、この考案に係るエア・クリーナーが空気を綺麗にすることができる。
【００１４】
だから、この考案に係る光触媒装置は、蜂房式ろ過網３に塗布された二酸化チタンに、ランプ２から放射する紫外線を照射すると、光触媒装置には殺菌効果が発生するので、ハウジング１の内部でろ過された空気は、蜂房式ろ過網３を通過しているときに、細菌及び病毒が徹底的に成されて消滅される。
【００１５】
また、この考案に係る光触媒装置は、簡単な構造を有するため、製造コストが低減でき、且つ組み立ても容易になる。
【図面の簡単な説明】
【００１６】
【図１】この考案に係るエア・クリーナーの構造を示す分解斜視図である。
【図２】この考案に係るエア・クリーナーの構造を示す斜視概略図である。
【図３】この考案に係るエア・クリーナーの構造を示す正面概略図である。
【図４】この考案に係るエア・クリーナーの構造を示す断面図である。
【図５】図４の一部の拡大図である。
【符号の説明】
【００１７】
１          ハウジング
１１        エア出口
１２        前側保護網
１３        収容室
１３１      凸縁
１３２      溝
１３３      欠け部
１４        離間用枠
１４１      ストッパー
１５        ろ過素材
２          ランプ
３          蜂房式ろ過網
【図１】
0003101428.tif 000003
【図２】
0003101428.tif 000004
【図３】
0003101428.tif 000005
【図４】
0003101428.tif 000006
【図５】
0003101428.tif 000007